(57)【要約】【課題】小型でコスト削減を図ることの出来る空気調和機を提供することを課題とする。【解決手段】室内の空気を取込む吸込口２ａと、前期吸込口２ａから吸込まれた空気と熱交換する熱交換器８と、前記熱交換器８の前面に配されて空気内の塵埃を集塵する集塵フィルタ６と、前記集塵フィルタ６に係止されるとともに前記集塵フィルタ６よりも粒子の細かい塵埃を捕集する空気清浄フィルタ７と、前記熱交換器８を流下する結露水を受けて下方へ導くことにより前面側からの漏水を防止する露受け部１０と、前記露受け部１０から前記空気清浄フィルタ７と前記熱交換器８との間に延びるとともに前記空気清浄フィルタ７の中央部に対向する延設部１１とを備える。【選択図】図３
2008286427.tif 000002
【特許請求の範囲】
【請求項１】
室内の空気を取込む吸込口と、前記吸込口から吸込まれた空気と熱交換する熱交換器と、前記熱交換器の前面に配されて空気内の塵埃を集塵する集塵フィルタと、前記集塵フィルタに係止されるとともに前記集塵フィルタよりも粒子の細かい塵埃を捕集する空気清浄フィルタと、前記熱交換器を流下する結露水を受けて下方へ導くことにより前面側からの漏水を防止する露受け部と、前記露受け部から前記空気清浄フィルタと前記熱交換器との間に延びるとともに前記空気清浄フィルタの上下方向の中央部に対向する延設部とを備えたことを特徴とする空気調和機。
【請求項２】
前記延設部は、前記空気清浄フィルタの左右方向の中央部に対向することを特徴とする請求項１に記載の空気調和機。
【請求項３】
前記延設部は先端を前記熱交換器側に折曲して前記熱交換器に当接する折曲部を有することを特徴とする請求項１または請求項２に記載の空気調和機。
【請求項４】
前記熱交換器は縦方向に延びて横方向に並設される多数のフィンを有し、前記折曲部の幅が前記フィンの間隔よりも広いことを特徴とする請求項３に記載の空気調和機。
【請求項５】
前記延設部は前記折曲部側を開放した切欠きを有し、前記切欠きにより分割された前記折曲部の各幅が前記フィンの間隔よりも広いことを特徴とする請求項４に記載の空気調和機。
【請求項６】
前記延設部に孔部または切欠きを設けたことを特徴とする請求項１〜請求項５のいずれかに記載の空気調和機。
【請求項７】
前記延設部の横幅は前記熱交換器の横幅に略一致することを特徴とする請求項５または請求項６に記載の空気調和機。
【請求項８】
前記延設部が複数設けられていることを特徴とする請求項１または請求項３〜請求項６のいずれかに記載の空気調和機。
【発明の詳細な説明】
【技術分野】
【０００１】
本発明は吸込口に面して集塵フィルタを備えた空気調和機に関するものである。
【背景技術】
【０００２】
図９は従来の空気調和機の側面図を示す。空気調和機１は前面パネル２と、前面パネル２に枢支されて開閉自在なオープンパネル３と、キャビネット４とを備えている。そして、前面パネル２の上方には吸込み口２ａが設けられ、下方には吹出口９が設けられる。また、キャビネット４内にはクロスフローファン５が配される。熱交換器８はクロスフローファン５の周囲を囲むように形成され、オープンパネル３に面した前面部８ａ及び前面部８ａの上方に配される山型の上面部８ｂを有している。オープンパネル３と熱交換器８の間には塵埃を除去する集塵フィルタ６が配される。集塵フィルタ６には集塵フィルタ６よりも粒子の細かい塵埃を除去する空気清浄フィルタ７が取付けられる。また集塵フィルタ６の背面と熱交換器８の上面部８ｂの下方との間に位置するところに露受け部１０が設けられる。
【０００３】
クロスフローファン５の回転により室内空気は前面パネル２の上部に位置する吸込口２ａから吸込まれる。空気調和機の内部に取りこまれた空気は、集塵フィルタ６及び空気清浄フィルタ７によって塵埃が除去される。塵埃を除去された空気は熱交換器８で熱交換後、吹出口９から室内に放出される。また露受け部１０は熱交換器８の上面部８ｂから発生する結露水を受けて下方に導く。
【０００４】
図１０は空気清浄フィルタ７を集塵フィルタ６に取付ける際の状態を示す斜視図である。空気清浄フィルタ７は集塵フィルタ６の裏面に取付けられる取付け枠１４と集塵フィルタ６の間に挟んで固定される。これにより、吸込口２ａの湿気等を含むことによる空気清浄フィルタ７の変形が防止される。空気清浄フィルタ７が変形すると熱交換器８と接触することにより結露水が浸透して空気調和機１の前面側から漏水する。そのため、空気清浄フィルタ７の変形を防止することにより空気調和機１の漏水を防止することができる。
【０００５】
また特許文献１においては、空気清浄フィルタ７が水分を含んで変形をおこしても熱交換器８に接触しないだけの大きな隙間を設けた空気調和機が開示されている。これにより、空気清浄フィルタ７と結露水を発生した熱交換器８が接触して起こる漏水を防止することができる。
【特許文献１】特開２００３−２６９７３７号公報
【発明の開示】
【発明が解決しようとする課題】
【０００６】
しかしながら、上記の前者の空気調和機１によると、空気清浄フィルタ７と熱交換器８が接触することによる漏水を防止するために空気清浄フィルタ７を取付ける取付け枠１４が必要となる。そのため、部品点数が増加して空気調和機のコストが増加する問題がある。
【０００７】
また、特許文献１に記載された空気調和機によると、空気清浄フィルタ７が水分を含んで変形した際に熱交換器８に接触させない様に広い隙間を設ける必要がある。そのため空気調和機が大型化する問題がある。
【０００８】
本発明は上記を鑑みてなされたものであり、空気清浄フィルタが水分を含んで変形を起こしても熱交換器に接触しない構成とした空気調和機を提供することを目的とする。
【課題を解決するための手段】
【０００９】
上記発明を達成するために、本発明は空気調和機本体に、室内の空気を取込む吸込口と、前記吸込口から吸込まれた空気と熱交換する熱交換器と、前記熱交換器の前面に配されて空気内の塵埃を集塵する集塵フィルタと、前記集塵フィルタに係止されるとともに前記集塵フィルタよりも粒子の細かい塵埃を捕集する空気清浄フィルタと、前記熱交換器を流下する結露水を受けて下方へ導くことにより前面側からの漏水を防止する露受け部と、前記露受け部から前記空気清浄フィルタと前記熱交換器との間に延びるとともに前記空気清浄フィルタの上下方向の中央部に対向する延設部とを備えたことを特徴としている。
【００１０】
この構成によると、室内空気は吸込口から吸込まれて集塵フィルタと空気清浄フィルタにより塵埃が除去される。塵埃が除去された空気は熱交換器によって熱交換されて室内に送出される。また、熱交換器より発生して流下する結露水は露受け部に衝突し、下方に導かれる。また、露受け部の端部を延長させて延設部が設けられる。これにより、水分等を含んでたわむ空気清浄フィルタは延設部に当接する。
【００１１】
また、本発明は上記構成の空気調和機において、前記延設部は前記空気清浄フィルタの左右方向の中央部に対向することが好ましい。
【００１２】
また、本発明は上記構成の空気調和機において延設部は先端を熱交換器側に折曲して熱交換器に当接する折曲部を有することが好ましい。その際、折曲部の幅が熱交換器の有する多数のフィンの間隔よりも広いことが好ましい。
【００１３】
また、本発明は上記構成の空気調和機において延設部が折曲部側に開放した切欠きを有することが好ましい。その際、切欠きにより分割された折曲部の各幅が熱交換器のフィンの間隔よりも広いことが好ましい。
【００１４】
また、本発明は上記構成の空気調和機において延設部に孔部または切欠きを設けられることが好ましい。
【００１５】
また、本発明は上記構成の空気調和機において延設部の横幅が熱交換器の横幅に略一致することが好ましい。
【００１６】
また、本発明は上記構成の空気調和機において延設部が複数設けられていることが好ましい。
【発明の効果】
【００１７】
本発明によると、露受け部から延びて空気清浄フィルタの上下方向の中央部に対向する延設部を備えるので、水分を帯びることによりたわみを発生した空気清浄フィルタは背面中央部に位置する延設部に当接し、空気清浄フィルタと熱交換器との接触を回避することができる。これにより、熱交換器と接触する空気清浄フィルタに結露水が浸透することによる漏水を防止することができる。また、延設部は露受け部と一体成形できるので金型成形時の工程を増加させず、容易に延設部を形成することができる。これにより、空気清浄フィルタを支持する部材を別途設ける必要がなく、空気清浄フィルタと熱交換器との間に大きな隙間を設けずに結露水の漏水を防止することができる。
【発明を実施するための最良の形態】
【００１８】
以下に本発明の実施形態について図面を参照して説明する。
【００１９】
図１は第１実施形態の空気調和機１を示す斜視図である。空気調和機１は室内の壁面に取付けられるキャビネット４を有し、キャビネット４の前面側は開口部（不図示）を有する前面パネル２で覆われている。前面パネル２の前面には前面パネル２の上部で枢支されるオープンパネル３が配される。オープンパネル３により前面パネル２の前面を開閉できるようになっている。
【００２０】
図２はオープンパネル３を開いた状態の空気調和機１の斜視図を示す。前面パネル２の上部には吸込口２ａが設けられ、前面パネル２の下部には吹出口９が設けられる。閉じられたオープンパネル３の背面に対向して集塵フィルタ６が配される。集塵フィルタ６には外枠形状が長方形状の空気清浄フィルタ７が長辺を横方向（左右方向）、短辺を縦方向（上下方向）として取付けられる。
【００２１】
図８は集塵フィルタ６に空気清浄フィルタ７が取付けられる際の状態を示す斜視図である。集塵フィルタ６は樹脂成形体からなる枠部６ａに樹脂性の多孔質体６ｂが取付けられたものである。これにより、室内空気中に含まれる塵埃を捕集する。また、空気清浄フィルタ７は樹脂繊維により形成される不織布を蛇腹状に成形される。これにより、集塵フィルタ６よりも粒子の細かい塵埃を捕集する。なお、空気清浄フィルタ７は活性炭などの吸着剤をフィルタ層の内部にうめ込んで脱臭機能等を付加してもよい。空気清浄フィルタ７は集塵フィルタ６の枠部６ａに一体に形成された爪部１５により係止される。
【００２２】
図３、４は空気調和機１の正面図及び側面図を示す。キャビネット４内には送風機であるクロスフローファン５が設けられる。熱交換器８はクロスフローファン５を囲むように配される。また熱交換器８はオープンパネル３に面した前面部８ａ及び前面部上方に配されて山型の上面部８ｂを有している。熱交換器８には縦方向に延びて横方向に並設される多数のフィンが設けられる。集塵フィルタ６はオープンパネル３と熱交換器８の間に配される。
【００２３】
また、集塵フィルタ６の上端部の背面には前面パネルに一体成形される露受け部１０が設けられる。露受け部１０は室内空気と空気調和機１内の温度差によって熱交換器８に発生する結露水を受けて下方へと導く。吹出口９の上部には露受け部１０が下方に導いた結露水を受け止めるドレンパン１６が配される。露受け部１０の略中央部には下方に延びる延設部１１が一体に設けられる。延設部１１は空気清浄フィルタ７と熱交換器８の間、かつ、空気清浄フィルタ７の短手方向の背面側中央部にまで延びている。すなわち、延設部１１は空気清浄フィルタ７の長辺と平行で、両短辺の中央を通る部分（上下方向の中央部）まで延設されている。また、延設部１１は空気清浄フィルタ７の背面側の左右方向の中央部に対向する位置に配置されている。言い換えれば、本実施形態における延設部１１は長方形状の空気清浄フィルタ７の対角線の交点付近に配置されている。なお、上下方向の中央部、左右方向の中央部は、厳密に一本の線上の部分のみを意味するのではなく、ある程度の幅を有する帯状の部分を意味するものとする。
【００２４】
延設部１１は熱交換器８側に折曲して熱交換器８に当接する折曲部１２を先端部分に有する。その際、折曲部１２の幅は熱交換器８のフィンの間隔よりも広くなっている。よって、製品輸送時の落下、振動時に折曲部１２が熱交換器８のフィンの間に入りこむことを回避できる。そのため、折曲部１２によって熱交換器８が傷つけられることを防ぐことができる。
【００２５】
図５は本実施形態に係る空気調和機１の側面図の点線部分で囲まれた円内を拡大した側面図を示す。延設部１１と折曲部１２の熱交換器８側に補強用として三角リブ１７が設けられている。三角リブ１７は延設部１１の上部と折曲部１２の後部を結ぶように形成される。
【００２６】
図６はオープンパネル３とフィルタ６，７等を取り除いた状態の空気調和機１を示す正面図である。延設部１１には楕円形の孔部１３が複数設けられる。これにより、クロスフローファン５の回転により吸込まれた空気の通気抵抗を低減させることができる。
【００２７】
また、延設部１１には孔部１３にかえて下方を開放した切欠き（不図示）を設けてもよい。このとき、延設部１１は切欠きにより折曲部１２が分割される。分割された折曲部１２の各幅は熱交換器８の有するフィンの間隔よりも広く設けるとよい。これにより、製品輸送時の落下、振動時に折曲部１２が熱交換器８のフィンの間に入りこむことを回避できるため折曲部１２によって熱交換器８が傷つけられることを防ぐことができる。また、クロスフローファンの回転により吸込まれた空気の通気抵抗を低減させることができる。
【００２８】
本実施形態によると、露受け部１０の略中央部には下方に延びる延設部１１が一体に設けられる。延設部１１は空気清浄フィルタ７と熱交換器８の間に延び、空気清浄フィルタ７の背面側の中央部に対向する。そのため、水分を帯びることによりたわみを発生した空気清浄フィルタ７は背面中央部に位置する延設部１１に当接し、空気清浄フィルタ７と熱交換器８との接触を回避することができるので、漏水を防止することができる。また、延設部１１は露受け部１０と一体成形できるので金型成形時の工程を増加させず容易に延設部１１を形成することが出来る。これにより、空気清浄フィルタ７を支持する部材を設ける必要がなく、空気清浄フィルタ７と熱交換器８との間に大きな隙間を設けずに結露水の漏水を防止することができる。したがって、空気調和機を小型化（言い換えれば、大型化を抑制する）するとともにコストの削減を図ることができる。
【００２９】
また、本実施形態によると延設部１１は先端が熱交換器８側に折曲して熱交換器８に当接する折曲部１２を有する。これにより、延設部１１と熱交換器８の距離を一定に保つことができる。したがって、より確実に空気清浄フィルタと熱交換器の接触を回避して漏水を防止できる。
【００３０】
なお、本実施形態では、延設部１１は空気清浄フィルタ７の中央部に一つだけ設けているが、複数設けても良い。例えば、空気清浄フィルタ７を長手方向に２等分や３等分したそれぞれの区画の中央部と対向するように延設部１１を設けてもよい。このようにすれば、空気清浄フィルタ７の短手方向の中央部を複数の延設部１１で支えることができる。これにより、熱交換器８の接触を広い範囲で回避することができる。
【００３１】
図７は第２実施形態のオープンパネル３とフィルタ６，７等を取り除いた状態の空気調和機１の正面図を示す。説明の便宜上、前述の図１〜図６に示す第１実施形態と同様の部分には同一の符号を付している。本実施形態は延設部１１の横幅が熱交換器８の横幅に略一致する。延設部１１の熱交換器８側の先端には適当な間隔を設けて熱交換器８と当接する折曲部１２が設けられる。なお、折曲部１２の横幅は延設部１１の横幅と比較して小さくなっているものとする。そして、延設部１１には楕円形の孔部１３が一定間隔において複数設けられる。その他の部分は第１実施形態と同様である。
【００３２】
本実施形態によると、延設部１１の幅を熱交換器８の横幅に略一致させる。これにより、広い範囲で空気清浄フィルタ７と熱交換器８の接触を回避し、より確実に漏水を防止できる。また、空気調和機内に吸込まれる空気の風速が低下するので、熱交換器８や送風機（本発明ではクロスフローファン５）が原因で発生する笛吹き音を抑制することができる。
【００３３】
また第１、第２実施形態ではともに空気清浄フィルタ７に合成樹脂繊維を用いる。合成樹脂繊維は様々な機能を付加できるが、水分等を含むとたわみ易い性質をもつ。しかし、延設部１１により、水分を含むとたわみやすい合成樹脂繊維を空気清浄フィルタ７に用いても熱交換器８との接触を回避して、漏水を防ぐことができる。
【産業上の利用可能性】
【００３４】
本発明は吸込口に面して集塵フィルタを備えた空気調和機に利用することができる。
【図面の簡単な説明】
【００３５】
【図１】本発明に係る第１実施形態の空気調和機室内機の斜視図である。
【図２】本発明に係る第１実施形態の空気調和機室内機の斜視図である。
【図３】本発明に係る第１実施形態の空気調和機の正面図である。
【図４】本発明に係る第１実施形態の空気調和機の側面図である。
【図５】本発明に係る第１実施形態の空気調和機の一部を拡大した側面図である。
【図６】本発明に係る第１実施形態の空気調和機室内機の正面図である。
【図７】本発明に係る第２実施形態の空気調和機室内機の正面図である。
【図８】本発明に係わる集塵フィルタに取付ける空気清浄フィルタの固定方法を示す図である。
【図９】従来技術の空気調和機室内機の側面図である。
【図１０】従来技術の空気清浄フィルタ固定方法を示す図である。
【符号の説明】
【００３６】
１    空気調和機
２    前面パネル
２ａ  吸込口
３    オープンパネル
４    キャビネット
５    クロスフローファン
６    集塵フィルタ
７    空気清浄フィルタ
８    熱交換器
９    吹出口
１０  露受け部
１１  延設部
１２  折曲部
１３  孔部
１４  空気清浄フィルタ固定枠
１５  爪部
１６  ドレンパン
１７  三角リブ
【図１】
2008286427.tif 000003
【図２】
2008286427.tif 000004
【図３】
2008286427.tif 000005
【図４】
2008286427.tif 000006
【図５】
2008286427.tif 000007
【図６】
2008286427.tif 000008
【図７】
2008286427.tif 000009
【図８】
2008286427.tif 000010
【図９】
2008286427.tif 000011
【図１０】
2008286427.tif 000012